(57)【要約】【課題】一足のスパッツでショートタイプとロングタイプの２種の丈に調節できる。【解決手段】レッグ部の丈が短いショートタイプと丈が長いロングタイプに使い分け可能とする第１ストッパー用バンド部と第２ストッパー用バンド部とを、該レッグ部の長さ方向に間隔をあけて設け、前記第１、第２ストッパー用バンド部は他の部位より緊締力を大とした編地を周方向に連続させて設け、第１ストッパー用バンド部は前記レッグ部の下端領域に設けると共に、前記第２ストッパー用バンド部は第１ストッパー用バンド部より上方の領域に設け、前記ショートタイプでは、前記第１ストッパー用バンド部をふくらはぎの下端に位置させると共に前記第２ストッパー用バンド部を膝下に位置させる一方、前記ロングタイプでは、前記第１ストッパー用バンド部を足首に位置させ、前記第２ストッパー用バンド部をふくらはぎの下端に位置させる。【選択図】図２
2010180501.tif 000002
【特許請求の範囲】
【請求項１】
パンティ部と、該パンティ部に連続する一対のレッグ部を有する伸縮性編地からなるスパッツであって、
前記レッグ部の丈が短いショートタイプと丈が長いロングタイプに使い分け可能とする第１ストッパー用バンド部と第２ストッパー用バンド部とを、該レッグ部の長さ方向に間隔をあけて設け、
前記第１、第２ストッパー用バンド部は他の部位より緊締力を大とした編地を周方向に連続させて設け、第１ストッパー用バンド部は前記レッグ部の下端領域に設けると共に、前記第２ストッパー用バンド部は第１ストッパー用バンド部より上方の領域に設け、
前記ショートタイプでは、前記第１ストッパー用バンド部をふくらはぎの下端に位置させると共に前記第２ストッパー用バンド部を膝下に位置させる一方、
前記ロングタイプでは、前記第１ストッパー用バンド部を足首に位置させ、前記第２ストッパー用バンド部をふくらはぎの下端に位置させることを特徴とするスパッツ。
【請求項２】
前記スパッツの着用丈が７分〜１０分の範囲内にある請求項１に記載のスパッツ。
【請求項３】
前記第１、第２ストッパー用バンド部の編地は、前記レッグ部における他の部分の編地より編目を密にして編成すると共に、前記第１ストッパー用バンド部の編目を最も密にして編成し、
前記第１ストッパー用バンド部の上端には前記第１ストッパー用バンド部に向けて編目の密度を順次高めていくグラデーション部を連続させていると共に、前記第２ストッパー用バンド部の上端および下端にも前記第２ストッパー用バンド部に向けて編目の密度を順次高めていくグラデーション部を連続させている請求項１または請求項２に記載のスパッツ。
【請求項４】
前記第１、第２ストッパー用バンド部のバンド幅を１ｃｍ〜５ｃｍとし、前記第１ストッパー用バンド部の最大緊張横伸び寸法を２０ｃｍ〜２６ｃｍ、第２ストッパー用バンド部の最大緊張横伸び寸法を２７ｃｍ〜３３ｃｍとしている請求項１乃至請求項３のいずれか１項に記載のスパッツ。
【発明の詳細な説明】
【技術分野】
【０００１】
本発明はスパッツに関し、詳しくは、スパッツの丈を任意に調節できるものである。
【背景技術】
【０００２】
伸縮性のある素材からなり、腰から脚までをぴったりと覆うスパッツは、性別を問わず幅広い年齢層の人に着用されており、保温機能や、サポート機能、補整、引き締め機能等、種々の機能を有するスパッツが提案されている（特公平７−４９６０２号公報参照）。
一方、スパッツの丈は、着用時にスパッツの裾部が膝下付近に位置する５分丈や、裾部がふくらはぎの下端付近に位置する７分丈、前記裾部が足首付近に位置する１０分丈などさまざまであり、用途や服装等に応じた丈のスパッツを着用することが好ましい。しかし、このためには、丈が相違するスパッツを多種類購入し、これらを丈に応じて分類しておく必要があり、コストや手間がかかるという問題がある。
【先行技術文献】
【特許文献】
【０００３】
【特許文献１】特公平７−４９６０２号公報
【発明の概要】
【発明が解決しようとする課題】
【０００４】
本発明は前記問題に鑑みてなされたものであり、一足のスパッツでショートタイプとロングタイプの２種の丈に調節でき、かつ調節した位置に安定保持できるスパッツを提供することを課題としている。
【課題を解決するための手段】
【０００５】
前記課題を解決するため、本発明は、パンティ部と、該パンティ部に連続する一対のレッグ部を有する伸縮性編地からなるスパッツであって、
前記レッグ部の丈が短いショートタイプと丈が長いロングタイプに使い分け可能とする第１ストッパー用バンド部と第２ストッパー用バンド部とを、該レッグ部の長さ方向に間隔をあけて設け、
前記第１、第２ストッパー用バンド部は他の部位より緊締力を大とした編地を周方向に連続させて設け、第１ストッパー用バンド部は前記レッグ部の下端領域に設けると共に、前記第２ストッパー用バンド部は第１ストッパー用バンド部より上方の領域に設け、
前記ショートタイプでは、前記第１ストッパー用バンド部をふくらはぎの下端に位置させると共に前記第２ストッパー用バンド部を膝下に位置させる一方、
前記ロングタイプでは、前記第１ストッパー用バンド部を足首に位置させ、前記第２ストッパー用バンド部をふくらはぎの下端に位置させることを特徴とするスパッツを提供している。
【０００６】
前記のように、本発明のスパッツには緊締力を大とした２つのストッパー用バンド部をレッグ部の長さ方向に間隔をあけて設けており、これらの位置を着用時に移動させるだけでショートタイプとロングタイプの２種類の丈が１足のスパッツで実現できる。よって、従来のように、丈の相違するスパッツを多種類揃える必要がなくなり、コストや手間を省くことができる。また、前記のように、第１、第２ストッパー用バンド部の緊締力を大としているため、該第１、第２ストッパー用バンド部は移動させた位置からずり上がったり、ずり下がったりすることなく所定位置に安定保持することができる。
【０００７】
具体的には、裾部に連続させて設ける第１ストッパー用バンド部をふくらはぎの下端に位置させ、前記第１ストッパー用バンド部より上部位置に設ける第２ストッパー用バンド部を膝下に位置させて着用するとショートタイプの７分丈となり、前記第１ストッパー用バンド部を足首に位置させ、第２ストッパー用バンド部をふくらはぎの下端に位置させて着用するとロングタイプの１０分丈となるスパッツを得ることができる。即ち、本発明のスパッツは、第１ストッパー用バンド部および第２ストッパー用バンド部の位置を移動させるだけで、７分〜１０分丈の範囲内の任意の丈で着用することができる。
【０００８】
ロングタイプとした場合、ショートタイプに比べてレッグ部の丈が長くなるが、本発明のスパッツは伸縮性編地で形成しているため、編地が伸びることにより対応できる。また、緊締力の大きな第１、第２ストッパー用バンド部が足首周りとふくらはぎの下端周りでしっかりと保持されるため、上方へのずり上がりを足の径が太くなる２ヶ所で防止することができる。
【０００９】
一方、ショートタイプとした場合、ロングタイプに比べてレッグ部の丈が短くなるが、通常に着用するとショートタイプとなるように編成し、着用によって前記第１、第２ストッパー用バンド部がふくらはぎの下端と膝下に配置されるように位置決めしておくことで、膝の屈伸にも適合し、レッグ部の余分な弛みを防止する。これにより、着用時に第１、第２ストッパー用バンド部の位置を特段意識しなくても、スパッツの裾部を所望の位置に移動させるだけで、第１、第２ストッパー用バンド部も前記所定位置に移動させることが可能となる。
なお、第１ストッパー用バンド部は、前記のように裾部に連続して設ける一方、第２ストッパー用バンド部は、第１ストッパー用バンド部の上端から第２ストッパー用バンド部の下端までの距離が最大緊張縦伸び寸法（両端を手で持ってこれ以上伸びない緊張を与えたときの縦伸び寸法）で２２〜３２％程度となるように設けておくことが好ましい。
【００１０】
前記第１、第２ストッパー用バンド部の編地は、前記レッグ部における他の部分の編地より編目を密にして編成すると共に、前記第１ストッパー用バンド部の編目を最も密にして編成し、
前記第１ストッパー用バンド部の上端には前記第１ストッパー用バンド部に向けて編目の密度を順次高めていくグラデーション部を連続させていると共に、前記第２ストッパー用バンド部の上端および下端にも前記第２ストッパー用バンド部に向けて編目の密度を順次高めていくグラデーション部を連続させていることが好ましい。
【００１１】
前記のように、第１、第２ストッパー用バンド部の編地を、前記レッグ部における他の部分の編地より編目を密にして編成することにより、第１、第２ストッパー用バンド部の緊締力を他の部分よりも高めることができる。特に、着用時の第１、第２ストッパー用バンド部の係止位置において、足の形状に即して無理な着圧を加えることなく２ヶ所の緊締力のバランスを保つことによって所定の丈をしっかりと保持し、位置ズレ、ずり上がりを効果的に防止できる。
具体的には、編目のループ長さを短くすることにより編目を密に編成でき、編目の密度を高めることにより編地の横伸び寸法が低減して編地の緊締力が増大する。
【００１２】
また、前記のように、第１ストッパー用バンド部の上端および第２ストッパー用バンド部の上下端に、第１、第２ストッパー用バンド部に向けて編目の密度を順次高めていくグラデーション部を設けることにより、連続した外観を与えることができると共に、違和感がなくフィット性においても優れたものとなる。
また、７分丈から１０分丈に調整可能なスパッツでは、前記第１、第２ストッパー用バンド部に隣接するグラデーション部に加え、全体的に足の形状に即した着圧となるよう
編目の密度を変化させる緩やかなグラデーション編形成としてもよい。
【００１３】
前記第１、第２ストッパー用バンド部のバンド幅を１ｃｍ〜５ｃｍ、前記第１ストッパー用バンド部の最大緊張横伸び寸法を２０ｃｍ〜２６ｃｍとすると共に、第２ストッパー用バンド部の最大緊張横伸び寸法を２７ｃｍ〜３３ｃｍとしていることが好ましい。
【００１４】
第１、第２ストッパー用バンド部のバンド幅は広い程、緊締力が高まり位置ズレを防止することができるが、幅が広すぎると伸びにくく圧迫感も増大する。したがって、前記のように、第１、第２ストッパー用バンド幅は１ｃｍ〜５ｃｍとすることが好ましく、１．５ｃｍ〜３．５ｃｍとすることが特に好ましい。
【００１５】
最大緊張横伸び寸法とは、両端を手で持ってこれ以上伸びない緊張を与えたときの横伸び寸法を意味し、前記のように、前記第１ストッパー用バンド部の最大緊張横伸び寸法を２０ｃｍ〜２６ｃｍとし、第２ストッパー用バンド部の最大緊張横伸び寸法を２７ｃｍ〜３３ｃｍとすることにより、着用位置に関係なく、過度な圧迫感を与えることなく、ロングタイプ、ショートタイプいずれの丈もしっかりと保持して位置ズレを防止することができる。
また、前記第１ストッパー用バンド部の最大緊張横伸び寸法は、隣接する前記グラデーション部を介して連続する上側の編地の最大緊張横伸び寸法の５５〜９０％程度とすることが好ましい。さらに、前記第２ストッパー用バンド部の最大緊張横伸び寸法は、上下に隣接する前記グラデーション部を介して連続する上側、下側の編地の最大緊張横伸び寸法の７０〜９５％程度とすることが好ましい。
【００１６】
本発明のスパッツを形成する伸縮性編地は丸編地からなる。具体的には、筒状に編成された１対の丸編地を用い、パンティ部に相当する部分に切れ目を入れて裁断線同士をつき合わせて縫着し、一体化させることによりスパッツを形成することができる。スパッツの履き口部および裾部はダブルウエルトであってもシングルウエルトであってもよく、また、押え縫いあるいはレース仕様であってもよい。
【００１７】
編成する編み糸は伸縮性糸であればよく、例えば、ポリウレタン弾性糸にナイロンを巻き付けたカバーリングヤーン、あるいはウーリーナイロン、ナイロンとキュプラ等の混合糸等との交編が好適に用いられる。また、編み糸の太さはカバーリングヤーンの場合、４０〜９０デシテックスのものが好適に用いられる。
編組織は、プレーン（平編組織）でよいが、種々の編組織を組み合わせてもよい。
【００１８】
なお、本発明のスパッツの第１、第２ストッパー用バンド部は他の部分よりも緊締力を大としているため、外観上の目印を設けなくとも着用時にストッパー用バンド部の位置を認識でき、よって、デザイン上の観点から目印を設けなくとも良い。しかしながら、第１、第２ストッパー用バンド部に、外観上識別できる目印ラインや目印柄を設けていてもよい。このように目印を付しておくと、着用者が急いで着用する場合等に好適であり、かつ着用後に第１、第２ストッパー用バンド部が意図した位置にあるか否かを確認することができる。
【発明の効果】
【００１９】
前述したように、本発明のスパッツには、緊締力を大とした２つのストッパー用バンド部をレッグ部の長さ方向に間隔をあけて設けているため、着用時にこれらの位置を移動させるだけでショートタイプとロングタイプの２種類の丈が１足のスパッツで実現できる。よって、従来のように、丈の相違するスパッツを多種類揃える必要がなくなり、コストや手間を省くことができる。また、第１、第２ストッパー用バンド部の緊締力を大としているため、該第１、第２ストッパー用バンド部は移動させた位置からずり上がったり、あるいはずり下がったりすることなく所定位置に安定保持することができる。
【図面の簡単な説明】
【００２０】
【図１】本実施形態のスパッツの平面図である。
【図２】（Ａ）（Ｂ）は本実施形態の着用状態を示す図面である。
【図３】レッグ部を形成する編地の編み密度（緊締力）の違いを示す模式図である。
【発明を実施するための形態】
【００２１】
以下、本発明のスパッツの実施形態を図面を参照して説明する。
本実施形態のスパッツ１は、図１に示すように、履き口部２に連続するパンティ部３と、該パンティ部３に連続する一対のレッグ部４からなる。レッグ部４には、緊締力を大とした編地からなる第１ストッパー用バンド部６および第２ストッパー用バンド部７を、長さ方向に間隔をあけて設けている。
即ち、レッグ部４の下端領域の裾部５の上部に第１ストッパー用バンド部６を設け、該第１ストッパー用バンド部６の上部に所定の間隔をあけて第２ストッパー用バンド部７を設けている。第１ストッパー用バンド部６および第２ストッパー用バンド部７の位置を移動させることにより、丈の短いショートタイプと、丈の長いロングタイプとに使い分けることができる構成としている。
【００２２】
本実施形態のスパッツ１では、図２（Ａ）のように、第１ストッパー用バンド部６をふくらはぎの下端に位置させ、第２ストッパー用バンド部７を膝下に位置させて着用すると７分丈となり、図２（Ｂ）のように、第１ストッパー用バンド部６を足首に位置させ、第２ストッパー用バンド部７をふくらはぎの下端に位置させて着用すると１０分丈となる。
なお、図１、図２では第１、第２ストッパー用バンド部６、７の位置を明確にするために斜線を付して図示しているが、スパッツ１の外観上において第１、第２ストッパー用バンド部６、７は他の部位と同じ色として識別できないようにしている。
【００２３】
スパッツ１は、伸縮性糸からなる編糸で筒状に編成された一対の丸編地を用い、パンティ部３に相当する部分に切れ目を入れて裁断線同士をつき合わせて縫着し、一体化させることにより形成している。スパッツ１の上端の履き口部２および下端の裾部５はダブルウエルトの端末編組織とし、レッグ部４をプレーン（平編組織）のみで編成している。
また、伸縮性糸として、本実施形態ではポリウレタン弾性芯糸にナイロンを巻き付けた６６デシテックスのシングルカバーリングヤーンを用いている。
【００２４】
第１、第２ストッパー用バンド部６、７は、レッグ部４の全周にわたって幅Ｗで形成しており、本実施形態では幅Ｗを２ｃｍとしている。また、第１ストッパー用バンド部６は前記のように裾部５の上端に連続して設け、第２ストッパー用バンド部７の下端は、平置状態で、第１ストッパー用バンド部６の上端から距離Ｌ１をあけた位置に設けている。本実施形態では、距離Ｌ１を１０ｃｍとし、レッグ部４の全長Ｌ(Ｌ＝４０ｃｍ)の２５％としている。該構成におけるＬ１の縦伸びは２８％であった。前記スパッツ１は、裾部５を引っ張らずに通常に着用されると図２（Ａ）に示すショートタイプの７分丈となり、第１ストッパー用バンド部６はふくらはぎの下端に、第２ストッパー用バンド部７は膝下に配置されるように位置決めしている。また、第１ストッパー用バンド部６を足首に、第２ストッパー用バンド部７をふくらはぎの下端に移動させると、図２（Ｂ）に示すようなロングタイプの１０分丈となる。
【００２５】
図３は、レッグ部４を形成する編地の各部位における編み密度（緊締力）の違いを模式的に示している。編目を密に編成すると横伸び寸法は小さくなり、編地の緊締力が増大する。図３に示すレッグ部の各部位（４Ａ〜４Ｇ、６、７）の横幅は、各部位の横伸び寸法（表１参照）に比例させており、レッグ部の横幅が小さい部位ほど、編目が密に編成され緊締力が大きいことを示している。
【００２６】
図３に示すように、本実施形態では第１ストッパー用バンド部６と第２ストッパー用バンド部７を他の部位より編目ループを短くして編目を密に編成し、緊締力を大としている。特に、第１ストッパー用バンド部６の編目を最も密に編成して緊締力を最大としている。本実施形態では、表１に示すように、第１ストッパー用バンド部６の最大緊張横伸び寸法を２３ｃｍとし、上側部位４Ｆの最大緊張横伸び寸法（３３ｃｍ）の約７０％の横伸び寸法としている。また、第２ストッパー用バンド部７の最大緊張横伸び寸法を３０ｃｍとし、上側部位４Ｃおよび下側部位４Ｆの最大緊張横伸び寸法（３３ｃｍ）の約９１％の横伸び寸法としている。なお、ここでいう最大緊張横伸び寸法とは、両端を手で持ってこれ以上伸びない緊張を与えたときの横伸び寸法をいう。
【００２７】
また、第１ストッパー用バンド部６と上側部位４Ｆとの間には、第１ストッパー用バンド部６に向けて編目の密度を順次高めていくグラデーション部４Ｇを設けている。さらに、第２ストッパー用バンド部７と上側部位４Ｃ、第２ストッパー用バンド部７と下側部位４Ｆとの間にも、第２ストッパー用バンド部７に向けて編目の密度を順次高めていくグラデーション部４Ｄ、４Ｅを設けている。また、本実施形態のスパッツ１では、前記グラデーション部４Ｄ、４Ｅ、４Ｇに加え、太ももの上部から下部にかけて編目の密度を順次高めていくグラデーション部４Ｂも設けている。
表１は、本実施形態におけるレッグ部各部位の最大緊張横伸び寸法を示しているが、グラデーション部４Ｂ、４Ｄ、４Ｅ、４Ｇは該横伸び寸法が順次変化するため表には記載していない。
【００２８】
【表１】
2010180501.tif 000003
【００２９】
前記構成によれば、緊締力を大とした第１、第２ストッパー用バンド部６、７の位置を着用時に移動させるだけでショートタイプ（７分丈）とロングタイプ（１０分丈）の２種類の丈が１足のスパッツで実現できる。また、この丈の範囲において任意の丈、例えば、８〜９分丈においても同様の着用形態を得ることができる。よって、従来のように、丈の相違するスパッツを多種類揃える必要がなくなり、コストや手間を省くことができる。また、前記のように、第１、第２ストッパー用バンド部の緊締力を大とし、着用時の第１、第２ストッパー用バンド部の係止位置において、足の形状に即して無理な着圧を加えることなく２ヶ所の緊締力のバランスを保つことによって所定の丈をしっかりと保持し、位置ズレ、ずり上がりを効果的に防止できる。
【００３０】
また、前記のように、第１ストッパー用バンド部６の上端および第２ストッパー用バンド部７の上下端に、第１、第２ストッパー用バンド部６、７に向けて編目の密度を順次高めていくグラデーション部４Ｇ、４Ｄ、４Ｅを設けることにより、連続した外観を与えることができると共に、違和感がなくフィット性も高めることができる。
なお、パンティ部３は、補整、引き締め機能等を付加するなど任意の構成としてもよい。
【符号の説明】
【００３１】
１  スパッツ
２  履き口部
３  パンティ部
４  レッグ部
５  裾部
６  第１ストッパー用バンド部
７  第２ストッパー用バンド部
【図１】
2010180501.tif 000004
【図２】
2010180501.tif 000005
【図３】
2010180501.tif 000006